(57)【要約】【課題】外観面が天然石で構成され且つ外観面に物が当たっても使い続けることができるような化粧用の壁パネルを提供する。【解決手段】壁パネル１０は、ベース板としてのマグネットシート１４と、このマグネットシート１４の一方の面に接合した化粧材層３０とからなる。化粧材層３０は、砕石１１の集合体である。マグネットシート１４の厚さｔ１は、０．５ｍｍ〜２．０ｍｍである。化粧材層３０の厚さｔ２は、５ｍｍ〜２０ｍｍである。【効果】ｔ１が０．８ｍｍ、ｔ２が９．２ｍｍであれば、化粧材層３０は全厚さ（１０ｍｍ）の９２％に達する。化粧材層に物が当たって砕石が脱落しても、残層が確保され、ベース板が外から見える心配はない。外観面に物が当たっても、壁パネルを使い続けることができる。【選択図】図４
0003211467.tif 000002
【実用新案登録請求の範囲】
【請求項１】
屋内の壁に取付けられる化粧用の壁パネルであって、
前記屋内の壁側に配置されるベース板と、このベース板に接合され外観面を有する化粧材層とからなり、
前記ベース板は、厚さが０．５ｍｍ〜２．０ｍｍとされ、
前記化粧材層は、粒径が１．０ｍｍ〜８．０ｍｍである砕石又は玉砂利が接着用樹脂で固められ層厚さが５ｍｍ〜２０ｍｍとされていることを特徴とする壁パネル。
【請求項２】
請求項１記載の壁パネルであって、
前記化粧材層は、前記接着用樹脂で前記ベース板の一方の面に接合されていることを特徴とする壁パネル。
【請求項３】
請求項１又は請求項２記載の壁パネルであって、
前記化粧材層は、ポーラス層であって、嵩比重が１．４〜１．８であることを特徴とする壁パネル。
【請求項４】
請求項１〜３のいずれか１項記載の壁パネルであって、
前記ベース板は、マグネットシートであることを特徴とする壁パネル。
【考案の詳細な説明】
【技術分野】
【０００１】
本考案は、屋内の壁に取付ける化粧用の壁パネルに関する。
【背景技術】
【０００２】
屋内の壁は、一般に、壁クロスを貼ることやペンキを塗ることで仕上げられる。これらの他、天然石板やタイルを壁面に貼り付けことでも仕上げられる。
天然石板は、重厚感があり、高級感が醸し出されるが、重い。
【０００３】
対策の一つとして、天然石風の外観で軽量な化粧板が提案されている（例えば、特許文献１（図１、図２）参照）。
【０００４】
特許文献１により、繊維強化プラスチック（ＦＲＰ）化粧板が提供される。このＦＲＰ化粧板は、ＦＲＰパネルと、このＦＲＰパネルの一方の面に積層された天然石層とからなる。この天然石層は、樹脂と天然砕石粒子（または／およびレンガ粉砕粒子）とからなる。
【０００５】
特許文献１の化粧板は、図面を参照すると主体がＦＲＰパネルであって、このＦＲＰパネルにＦＲＰパネルの厚さより十分に薄い天然石層が付設されている。
天然石層を厚くすると化粧板が重くなり、特許文献１の目的（軽量化）が達成できなるなるため、天然石層は必然的に薄くせざるを得ないと解される。
【０００６】
天然石層が薄いほどＦＲＰ化粧板は軽くなるが、天然石層に物が当たるなどすると、天然砕石粒子が局部的に脱落することがある。この脱落の程度によっては、奥のＦＲＰパネルが見えるようになり、外観性が低下する。対策として、補修を行うが補修費が嵩む。
【０００７】
外観面に物が当たっても、使い続けることができる化粧用の壁パネルが望まれる。
【先行技術文献】
【特許文献】
【０００８】
【特許文献１】特開２０００−３１８０６８号公報
【考案の概要】
【考案が解決しようとする課題】
【０００９】
本考案は、外観面が天然石で構成され且つ外観面に物が当たっても使い続けることができるような化粧用の壁パネルを提供することを課題とする。
【課題を解決するための手段】
【００１０】
請求項１に係る考案は、屋内の壁に取付けられる化粧用の壁パネルであって、
前記屋内の壁側に配置されるベース板と、このベース板に接合され外観面を有する化粧材層とからなり、
前記ベース板は、厚さが０．５ｍｍ〜２．０ｍｍとされ、
前記化粧材層は、粒径が１．０ｍｍ〜８．０ｍｍである砕石又は玉砂利が接着用樹脂で固められ層厚さが５ｍｍ〜２０ｍｍとされていることを特徴とする。
【００１１】
請求項２に係る考案は、請求項１記載の壁パネルであって、
前記化粧材層は、前記接着用樹脂で前記ベース板の一方の面に接合されていることを特徴とする。
【００１２】
請求項３に係る考案は、請求項１又は請求項２記載の壁パネルであって、
前記化粧材層は、ポーラス層であって、嵩比重が１．４〜１．８であることを特徴とする。
【００１３】
請求項４に係る考案は、請求項１〜３のいずれか１項記載の壁パネルであって、
前記ベース板は、マグネットシートであることを特徴とする。
【考案の効果】
【００１４】
請求項１に係る考案では、ベース板の厚さが、０．５ｍｍ〜２．０ｍｍで、化粧材層の厚さは５ｍｍ〜２０ｍｍである。ベース板の厚さが０．８ｍｍ、化粧材層の厚さが９．２ｍｍであれば、化粧材層は全厚さ（１０ｍｍ）の９２％に達する。
仮に、化粧材層に物が当たって砕石又は玉砂利が脱落しても、残層が確保され、ベース板が外から見える心配はない。
すなわち、請求項１によれば、外観面が天然石で構成され且つ外観面に物が当たっても、使い続けることができるような化粧用の壁パネルが提供される。
【００１５】
請求項２に係る考案では、化粧材層は、接着用樹脂でベース板の一方の面に接合されている。
化粧材層にベース板を後付けしてもよいが、この場合は、化粧材層の製造工程と、ベース板の接合工程の２工程が必須となり、製造コストが嵩む。
対して、請求項２によれば、接着用樹脂で砕石（又は玉砂利）同士の接合と、化粧材層をバース板に接合することを、一工程で済ませることができ、製造コストの低減を図ることができる。
【００１６】
請求項３に係る考案では、化粧材層は、嵩比重が１．４〜１．８のポーラス層である。
砕石や玉石の比重は２．５程度である。嵩比重が１．４〜１．８のポーラス層は、ポーラス層を採用しない場合に比較して、２８％〜４４％（計算過程は後述する。）もの重量軽減が図れる。
すなわち、請求項３によれば、より軽い壁パネルが提供され、この壁パネルを支える駆体壁への負担が軽減される。
【００１７】
請求項４に係る考案では、ベース板は、マグネットシートである。屋内の壁に、鉄粉の微粒子が適量含まれている塗料（マグネットペイント）を塗布しておくことにより、随時壁パネルを着脱することができる。季節の変化や好みに応じて、趣の異なる壁パネルに変えることができる。
【図面の簡単な説明】
【００１８】
【図１】本考案に係る壁パネルの準備工程を説明する図である。
【図２】砕石に接着用樹脂を被覆する工程を説明する図である。
【図３】壁パネルの製造工程を説明する図である。
【図４】本考案に係る壁パネルの側面図である。
【図５】図４の５矢視図であって、壁パネルの正面図である。
【図６】本考案の壁パネルを駆体壁に取付ける要領を説明する図である。
【考案を実施するための形態】
【００１９】
本考案の実施の形態を添付図に基づいて以下に説明する。
【実施例】
【００２０】
本考案の壁パネル１０の構成は、図４及び図５で説明するが、壁パネル１０の構成の理解を促すために図１〜図３に基づいて、壁パネル１０の製造工程の一例を説明する。なお、一例であるから以下に述べる製造工程を、適宜変更することは差し支えない。
【００２１】
先ず、図１で準備工程を説明する。
図１（ａ）に示すような砕石１１を準備する。この砕石１１は、天然石を砕いて得た物である。砕石１１の最大長さは長径ａとし、砕石１１の最小長さは短径ｂとする。長径ａ、短径ｂ共に１．０〜８．０ｍｍの範囲から選択される。
【００２２】
又は、図１（ｂ）に示すような玉砂利１２を準備する。この玉砂利１２の外径ｄは、１．０〜８．０ｍｍの範囲とされる。玉砂利１２は、真球の他、楕円球やいびつな球であってもよい。また、砕石１１と玉砂利１２を混ぜて使用することは差し支えない。
【００２３】
玉砂利１２は、天然石由来の粒の他、ガラスビーズであってもよい。すなわち、砕石１１および／または玉砂利１２にガラスビーズを混ぜることは差し支えない。
【００２４】
図１（ｃ）に示すように、ベース板としてのマグネットシート１４を準備する。このベース板は、マグネットシート１４が好ましいが、磁力を有しない普通のシート（アルミニウム板や樹脂板など）でも差し支えない。
マグネットシート１４は、酸化鉄（フェライト）粉末に接着用の樹脂（バインダー。塩素系ポリエチレンなど。）を加えてシートにし、このシートに磁化処理を施したものである。
【００２５】
マグネットシート１４は、１００ｍｍ角、１５０ｍｍ角、３００ｍｍ角、４５０ｍｍ角の正方形板が適当であるが、サイズは任意であり、長方形板や円板であってもよい。
マグネットシート１４は、１５０ｍｍ角の場合、厚さは０．８ｍｍが適当である。３００ｍｍ角や４５０ｍｍ角では、曲げ剛性を高める必要があるため、厚さを増やす必要がある。また、１００ｍｍ角では、厚さは０．８ｍｍ未満にすることができる。
【００２６】
マグネットシート１４は、厚さが０．５ｍｍ未満では、曲げ剛性が不足するため、好ましくない。また、厚さが２．０ｍｍを超えると、重くなり過ぎる。よって、マグネットシート１４の厚さは、０．５ｍｍ〜２．０ｍｍの範囲から適宜選択される。
【００２７】
図１（ｄ）に示すように、マグネットシート１４のサイズに対応した大きさの型枠１６を準備する。型枠１６は、底１７と、この底１７の周辺から立ち上がる周壁１８とからなり、底１７に穴１９を有する。周壁１８は、化粧材層（図３（ｃ）、符号３０）の層厚さに対応した高さとされる。
【００２８】
型枠１６は、耐久性の点で金属製が望ましいが、木製又はプラスチック製であってもよい。また、適当なテーブル（木製平台など）に載せることを前提とすれば底１７を省くことができ、型枠１６は周壁１８だけで構成することもできる。この場合は、テーブルに離型用の紙を敷いて、テーブルと化粧材層３０の接着を防止することが推奨される。
【００２９】
図１（ｅ）に示すように、接着用樹脂２０を準備する。接着用樹脂２０は例えばウレタン系樹脂である。この例では、接着用樹脂２０はＡ液２１とＢ液２２とからなる。接着用樹脂２０は、二液タイプの他、一液タイプやスプレータイプでもよい。
【００３０】
接着用樹脂２０は、硬化した後に無色透明（いわゆるクリア）になるものが好ましい。接着用樹脂２０は、無色透明になるものであれば、ウレタン系の他、エポキシ系、フェノール系など、接着性能を有する樹脂であればよく、種類は問わない。
【００３１】
図１（ｆ）に示すように、離型材として紙２４を準備する。この紙２４の幅は周壁１８の高さと同じか、又は大きくする。紙２４は、トイレットペーパーのように水に溶けるものを採用する。
【００３２】
図２で砕石１１に接着用樹脂２０を被覆する工程を説明する。
図２（ａ）に示すように、容器２６に、Ａ液２１とＢ液２２とを投入し、撹拌することで接着用樹脂２０を準備する。この接着用樹脂２０の量（質量）は、砕石１１の量（質量）の６％程度とする。
【００３３】
次に、図２（ｂ）に示すように、砕石１１を容器２６に投入する。
図２（ｃ）に示すように、砕石１１を十分に撹拌する。
すると、図２（ｄ）に示すように、砕石１１の表面に接着用樹脂２０の層ができる。すなわち、接着用樹脂２０が被覆された砕石１１が得られた。
【００３４】
接着用樹脂２０が被覆された砕石１１を用いて実施する壁パネル１０の製造工程を、図３に基づいて説明する。
図３（ａ）にて、型枠１６の周壁１８内面に紙２４を沿わせ、型枠１６にマグネットシート１４を載せる。マグネットシート１４で紙２４の下辺を抑えるようにすれば、紙２４が移動しにくくなる。
または、紙２４の幅を周壁１８の高さと同じに設定し、紙２４を弱い接着力の接着剤で周壁１８の内側面に貼ってもよい。紙２４の歩留まりがよくなる。
【００３５】
次に、図２（ｃ）、（ｄ）で準備した砕石１１を、型枠１６に流し込む。流し込み後の砕石１１の向きは様々であり、ある砕石１１は、図１（ａ）で説明した長径ａがマグネットシート１４にほぼ平行になり、別の砕石１１は、長径ａがマグネットシート１４にほぼ直角になり、残りの砕石１１は、長径ａがマグネットシート１４に対して斜めになる。
【００３６】
図３（ｂ）に示すように、砕石１１の上面を鏝（こて）２８で均して平坦にする。
最表層において、マグネットシート１４に対して長径ａが直交している砕石１１や斜めの砕石１１は、鏝２８で押され、マグネットシート１４に対して長径ａがほぼ平行になるように、向きが変わることが期待される。
【００３７】
平坦化後、３時間程度養生すると、図２（ｄ）で説明した接着用樹脂２０がほぼ固まる。接着用樹脂２０は２４時間の養生で完全に固まり、砕石１１の集合体である化粧材層３０（図３（ｃ））ができあがる。
【００３８】
図３（ｃ）のｄ部拡大図である図３（ｄ）に示すように、隣り合う砕石１１、１１が局部的に接着用樹脂２０で接合される。複数の砕石１１の間に空隙が発生する。この状態をポーラスと呼ぶ。
【００３９】
図３（ｃ）では、化粧材層３０は、マグネットシート１４に接着用樹脂２０によって、自動的に接合されている。
すなわち、接着用樹脂２０は、砕石１１同士を接合する役割と、化粧材層３０をマグネットシート１４に接合する役割とを同時に果たす。
なお、化粧材層３０のみを製造し、得られた化粧材層３０に、接着剤でマグネットシート１４を接合してもよい。
【００４０】
３時間が経過したら、図３（ｃ）に示すように、突き棒２９で型枠１６からマグネットシート１４及び化粧材層３０を離型する。紙２４が離型作用を発揮するため、離型は円滑に行える。離型後、マグネットシート１４及び化粧材層３０は、水洗いする。型枠１６も水洗いする。水洗いにより、紙２４を溶解除去することができる。また、化粧材層３０に残っている溶剤等を除去することができる。水洗い後、十分に乾燥させ、２０時間程度養生する。
【００４１】
出来上がった壁パネル１０の構成を、図４及び図５に基づいて説明する。
図４に示すように、壁パネル１０は、ベース板としてのマグネットシート１４と、このマグネットシート１４の一方の面に接合した化粧材層３０とからなる。化粧材層３０は、砕石１１の集合体である。
【００４２】
壁パネル１０の縦横寸法は、上述したように任意である。例えば、４５０ｍｍ角であれば、石材カッターで切断することで、３００ｍｍ角の壁パネル１０と、１５０ｍｍ角の壁パネル１０を得ることができる。
【００４３】
マグネットシート１４の厚さｔ１は、０．５ｍｍ〜２．０ｍｍである。
化粧材層３０の厚さｔ２は、５ｍｍ〜２０ｍｍである。
壁パネル１０の厚さは、Ｔである。
【００４４】
マグネットシート１４の厚さｔ１が０．８ｍｍ、化粧材層３０の厚さｔ２が９．２ｍｍであれば、壁パネル１０は厚さＴは１０ｍｍとなる。化粧材層３０の厚さｔ２は、壁パネル１０の厚さＴの９２％に達する。
仮に、化粧材層３０に物が当たって砕石１１が局部的に脱落しても、残層（砕石１１で構成される化粧材層３０の残層）が確保され、マグネットシート１４が外から見える心配はない。
【００４５】
特に、図３（ｂ）で説明したように、鏝２８で均すことで、砕石１１の長径ａがマグネットシート１４にほぼ平行になるようにすれば、残層がより厚く確保され、仮に、砕石１１が脱落したとしても、マグネットシート１４が外から見える心配は確実になくなる。
【００４６】
壁パネル１０の外観面１０ａは、図４の５矢視図である図５で示される。
図５に示すように、外観面１０ａは化粧材層３０に備えられる。この化粧材層３０は無数の砕石１１（又は玉砂利１２）で構成されるため、外観面１０ａは天然石の重厚感を備え、高級感を醸し出す。
【００４７】
なお、無数の砕石１１（又は玉砂利１２）の間に、雨水や土埃が侵入することを考えると、本考案の壁パネル１０は、屋外での使用は好ましくない。
また、化粧層３０がポーラス層である場合は、圧縮強度が小さいため、下向き力が加わる床や路面に配置することは好ましくない。さらには、ベース板がマグネットシート１４である場合は、地震等で落下する心配があるため、天井に配置することは好ましくない。
よって、本考案の壁パネル１０は、屋内の壁に取付けることが推奨される。屋内の壁に取付ける施工例を図６で説明する。
【００４８】
図６に示すように、屋内の壁３２に、鉄粉の微粒子が適量含まれている塗料（マグネットペイント）を塗布する。塗布により、マグネットペイント層３４が得られる。
マグネットシート１４が屋内の壁３２側に向くと共に、外観面１０ａが外に向くようにして壁パネル１０を配置しつつ、マグネットペイント層３４にマグネットシート１４を磁気吸着させる。
複数の壁パネル１０を順次屋内の壁３２に磁気吸着させる。
【００４９】
マグネットシート１４を採用したので、何時でも壁パネル１０を壁３２から外し、壁３２に取付けることができる。例えば、季節の変化や好みに応じて、趣の異なる壁パネル１０に交換することもできる。
なお、マグネットペイント層３４は、いわゆる鉄板（炭素鋼板）であってもよい。
【００５０】
また、ベース板１４が、アルミニウム板や樹脂板などマグネットシート１４と異なる板である場合は、屋内の壁３２に、壁パネル１０をビスや接着剤で止める。この場合は、マグネットシート１４のように簡単に壁パネル１０を交換することができない。
よって、ベース板をマグネットシート１４することがより好ましい。マグネットシート１４であれば、汚れた壁パネル１０を壁３２から外し、洗剤液に浸してクリーニングすることもできる。
【００５１】
化粧材層３０は、砕石（又は玉砂利）に砂と樹脂を混ぜて緻密にしてもよい。しかし、重くなる。図３（ｄ）で示したように、ポーラス（無数の空隙あり）にすることにより、軽量化を図ることができると共に砕石（又は玉砂利）を節約することができる。
【００５２】
砕石１１の素となる砂利の比重は２．５程度である。
化粧材層３０の嵩比重が１．４であれば、（（２．５−１．４）÷２．５＝０．４４）の計算により、４４％もの重量軽減が図られ、化粧材層３０の嵩比重が１．８であれば、（（２．５−１．８）÷２．５＝０．２８）の計算により、２８％の重量軽減が図られる。すなわち、より軽い壁パネル１０が提供され、この壁パネル１０を支える屋内の壁３２への負担が軽減される。
【００５３】
なお、屋内の壁３２は未仕上げ壁であってもよい。未仕上げ壁を、本考案の壁パネル１０で覆うことで仕上げることができるからである。
また、屋内の壁３２は仕上げ壁であってもよい。仕上げ壁であれば、壁の一部に本考案の壁パネル１０を付設して、いわゆるワンポイント・アクセサリーとすることができる。
【００５４】
ワンポイント・アクセサリーとして、本考案の壁パネル１０を額に入れ、絵画のように壁３２にかけて楽しむこともできる。
勿論、仕上げ壁の全てを本考案の壁パネル１０で覆うことは差し支えない。
【００５５】
そして、本考案の壁パネル１０は、屋内の壁３２に取付けることが適当であって、壁３２は、駆体壁の他、腰壁、袖壁、間仕切り壁であってもよい。また、壁３２は、ホワイドボードや、椅子やテーブルの家具の側面や、冷蔵庫などの室内備品の側面であってもよい。要は、壁３２は屋内に存在する垂直面（ほぼ垂直な面を含む。）を有する物であれよく、狭義の壁（駆体壁）に限定されるものではない。
【産業上の利用可能性】
【００５６】
本考案は、屋内の壁に取付ける壁パネルに好適である。
【符号の説明】
【００５７】
１０…壁パネル、１０ａ…外観面、１１…砕石、１２…玉砂利、１４…ベース板（マグネットシート）、２０…接着用樹脂、３０…化粧材層、３２…屋内の壁、ａ…砕石の長径、ｂ…砕石の短径、ｄ…玉砂利の外径、ｔ１…ベース板の厚さ、ｔ２…化粧材層の厚さ、Ｔ…壁パネルの厚さ。
【図１】
0003211467.tif 000003
【図２】
0003211467.tif 000004
【図３】
0003211467.tif 000005
【図４】
0003211467.tif 000006
【図５】
0003211467.tif 000007
【図６】
0003211467.tif 000008